(57)【要約】【課題】信号処理量を抑えて構成を簡素化できるデータ配信システムを得る。【解決手段】ＩＴＵ−Ｔ勧告のＨ．３２３受信データやＨ．３２０受信データを、一度デコーダにより復号化して、再びエンコーダにより符号化する処理をなくして、これ等受信データの符号化データをデコーダ部５０４においてそのまま複製して配信データ処理部５０６を介して、ＩＰネットワーク上へストリーム配信する。これにより、デコーダ及びエンコーダが必要なくなり、処理の簡素化、構成の簡素化が可能となる。また、デコードされたデジタルデータが必要な場合には、Ｈ．３２３やＨ．３２０受信データの符号化データを、切替制御５０３で選択してデコーダ部５０４へ供給するようにして、デコーダ部の共通化を図っている。【選択図】　　　図５
2004040513.tif 000002
【特許請求の範囲】
【請求項１】
所定の伝送規格に準拠したフォーマットにより符号化されたデータを受信して配信するようにしたデータ配信システムであって、受信された前記符号化データをそのまま複製して配信するデータ複製手段を含むことを特徴とするデータ配信システム。
【請求項２】
互いに異なる第一及び第二の伝送規格に準拠したフォーマットによりそれぞれ符号化された第一及び第二の符号化データを受信して、前記第一の伝送規格に準拠したフォーマットによる符号化データとしてデータ配信をなすデータ配信システムであって、前記第一及び第二の符号化データを受信処理する第一及び第二の受信処理手段と、これ等第一及び第二の受信処理手段の出力を択一的に導出制御する制御手段と、この制御手段の出力をそのまま複製するデータ複製手段と、この複製データを前記第一の伝送規格に準拠したフォーマットによる符号化データとして配信する手段とを含むことを特徴とするデータ配信システム。
【請求項３】
前記第一の伝送規格はＩＴＵ−Ｔ勧告のＨ．３２３規格であり、前記第二の伝送規格はＩＴＵ−Ｔ勧告のＨ．３２０規格であることを特徴とする請求項２記載のデータ配信システム。
【請求項４】
前記データ複製手段は、入力された符号化データを復号化するデコーダ機能を有することを特徴とする請求項１〜３いずれか記載のデータ配信システム。
【発明の詳細な説明】
【０００１】
【発明の属する技術分野】
本発明はデータ配信システムに関し、特にＩＴＵ−Ｔ勧告のＨ．３２３やＨ．３２０の伝送規格に準拠したデータフォーマットにて符号化された画像音声データを、ＩＰ（Ｉｎｔｅｒｎｅｔ　Ｐｒｏｔｏｃｏｌ　）ネットワーク上にストリーミング配信する符号化画像音声データ配信システムに関するものである。
【０００２】
【従来の技術】
従来のこの種のデータ配信システムの例を図６を参照して説明する。図６において、ＩＴＵ−Ｔ（Ｉｎｔｅｒｎａｔｉｏｎａｌ　Ｔｅｌｅｃｏｍｍｕｎｉｃａｔｉｏｎ　Ｕｎｉｏｎ−ＴｅｌｅｃｏｍｕｎｉｃａｔｉｏｎＳｔａｎｄａｒｄｉｚａｔｉｏｎ　Ｓｅｃｔｉｏｎ）勧告のＨ．３２３伝送規格に準拠したフォーマットにより符号化された受信データ（以下、単にＨ．３２３受信データと称す）と、同じくＩＴＵ−Ｔ勧告のＨ．３２０伝送規格に準拠したフォーマットにより符号化された受信データ（以下、単にＨ．３２０受信データと称す）とは、Ｈ．３２３受信処理部５０１及びＨ．３２０受信処理部５０２へそれぞれ入力される。
【０００３】
これ等Ｈ．３２３受信処理部５０１及びＨ．３２０受信処理部５０２において、それぞれ必要な処理がなされた後、符号化データのみが抽出されてＨ．３２３デコーダ部６０１及びＨ．３２０デコーダ部６０２へそれぞれ入力され、ディジタルデータに復号化される。これ等復号化されたディジタルデータは、Ｈ．３２０／Ｈ．３２３切替制御部５０３において、択一的に導出され、配信データエンコーダ部６０３へ供給される。
【０００４】
この配信データエンコーダ部６０３においては、配信制御部５０５からの制御信号に応じて、配信のための符号化処理が行われ、この符号化データは配信データ処理部５０６を介してストリーミング配信データとして、ＩＰネットワーク上へ配信されることになる。
【０００５】
【発明が解決しようとする課題】
図６に示した従来のデータ配信システムにおいては、受信された符号化データを、一度デジタルデータへ復号して、このデジタルデータをＩＰネットワーク上へストリーミング配信するために、再び符号化しているために、デコーダ部６０１，６０２とエンコーダ部６０３とが必要である。これ等デコーダ部やエンコーダ部は多量の信号演算処理を行うものであるから、ハードウェアで構成する場合には、ゲート数の増大を招来し、またソフトウェアで構成する場合には、プロセッサの処理能力の増大を招来することになる。
【０００６】
特に、図６に示した従来例では、Ｈ．３２３受信データとＨ．３２０受信データという、互いに異なる２種の符号化データを受信して、予め定められた１つの伝送規格に準拠したデータフォーマットに符号化してストリーミング配信を行うものであるから、デコーダ部６０１，６０２という２種のデコーダ機能が必要となる。この様に、複数のデコーダ部を同時に動作させることは、上述した様に、更にゲート数の増大やプロセッサの処理能力の増大を招くという問題がある。
【０００７】
そこで、本発明はこの様な従来技術の問題点を解消すべくなされたものであって、その目的とするところは、信号処理量を抑えて構造の簡素化を図ることが可能なデータ配信システムを提供することにある。
【０００８】
【課題を解決するための手段】
本発明によるデータ配信システムは、所定の伝送規格に準拠したフォーマットにより符号化されたデータを受信して配信するようにしたデータ配信システムであって、受信された前記符号化データをそのまま複製して配信するデータ複製手段を含むことを特徴とする。
【０００９】
本発明による他のデータ配信システムは、互いに異なる第一及び第二の伝送規格に準拠したフォーマットによりそれぞれ符号化された第一及び第二の符号化データを受信して、前記第一の伝送規格に準拠したフォーマットによる符号化データとしてデータ配信をなすデータ配信システムであって、前記第一及び第二の符号化データを受信処理する第一及び第二の受信処理手段と、これ等第一及び第二の受信処理手段の出力を択一的に導出制御する制御手段と、この制御手段の出力をそのまま複製するデータ複製手段と、この複製データを前記第一の伝送規格に準拠したフォーマットによる符号化データとして配信する手段とを含むことを特徴とする。
【００１０】
そして、前記第一の伝送規格はＩＴＵ−Ｔ勧告のＨ．３２３規格であり、前記第二の伝送規格はＩＴＵ−Ｔ勧告のＨ．３２０規格であることを特徴とする。また、前記データ複製手段は、入力された符号化データを復号化するデコーダ機能を有することを特徴とする。
【００１１】
本発明の作用を述べる。ＩＴＵ−Ｔ勧告のＨ．３２３受信データやＨ．３２０受信データを、一度デコーダにより復号して、再度エンコーダにより符号化する操作を止めて、これ等受信データをそのまま複製して配信データとするよう構成する。これにより、デコーダ及びエンコーダが必要なくなり、処理の簡素化や構造の簡素化が図れる。
【００１２】
また、Ｈ．３２３受信データ及びＨ．３２０受信データ等の異種の受信データを択一的に選択して配信データとする場合にも、選択出力をそのまま複製して配信データとし、更に、デコードされたデジタルデータが必要な場合には、この選択出力をデコードする構成とすることにより、デコーダは一個のみで良いという利点が生ずることになる。
【００１３】
【発明の実施の形態】
以下に、図面を用いて本発明の実施例について説明する。図１は本発明の一実施例のブロック図である。図１を参照すると、Ｈ．３２３受信データとＨ．３２０受信データとを入力として、いずれか一方をＩＰネットワーク上に配信するシステムである。
【００１４】
図１において、受信ＵＤＰ処理部１０１は、Ｈ．３２３通信の受信ＵＤＰ（Ｕｓｅｒ　Ｄａｔａｇｒａｍ　Ｐｒｏｔｏｃｏｌ）パケットのヘッダ情報を元に、ＵＤＰパケットのデータ部分を抽出し、同時にデータ部分の転送先を決定する機能を有している。受信ＲＴＰ処理部１０２は受信ＵＤＰ処理部１０２から送られてくるＲＴＰ（ＲｅａｌｔｉｍｅＴｒａｎｓｐｏｒｔ　Ｐｒｏｔｏｃｏｌ　）パケットのヘッダ情報を元に、ＲＴＰパケットのデータ部分に格納されている符号化ビデオデータを抽出するものである。
【００１５】
受信Ｈ．２２１処理部１０３は、Ｈ．３２０通信の受信Ｈ．２２１フレームから符号化ビデオデータを抽出するものである。Ｈ．３２０／Ｈ．３２３切替制御部１０４は、受信ＲＴＰ処理部１０２及び受信Ｈ．２２１処理部１０３によりそれぞれ抽出された符号化ビデオデータを択一的に導出して、ビデオデコーダ部１０５へ転送するものである。
【００１６】
ビデオデコーダ部１０５は符号化ビデオデータを復号してデジタルビデオデータを復元すると共に、符号化ビデオデータを送信ＲＴＰ処理部１０７へ転送する機能を有している。配信制御部１０６は受信した符号化ビデオデータをＩＰネットワーク上に配信するかどうかを制御するものである。送信ＲＴＰ処理部１０７は符号化ビデオデータにＲＴＰヘッダを付加し、ＲＴＰパケットを生成する。また、送信ＵＤＰ処理部１０８はこのＲＴＰパケットにＵＤＰヘッダを付加してＵＤＰパケットを生成し、ＩＰネットワークに送信するものである。
【００１７】
以下に、図１のＨ．３２０／Ｈ．３２３切替制御部１０４とビデオデコーダ部１０５の詳細を示す図２を用いて、本実施例の動作を説明する。Ｈ．３２０／Ｈ．３２３切替制御部１０４は、受信ＲＴＰ処理部１０２または受信Ｈ．２２１処理部１０３に対して制御信号を送出し、どちらか一方に符号化ビデオデータを受信バッファ２０１に書込む許可を与える。このＨ．３２０／Ｈ．３２３切替制御部１０４から許可を受けた受信ＲＴＰ処理部１０２または受信Ｈ．２２１処理部１０３は、受信バッファ２０１に対してデータを書込む。
【００１８】
ビデオコーダ部１０５は受信バッファ２０１に書込まれた符号化ビデオデータを読出し、復号処理を行い、配信制御部１０６から配信の指示がない場合には、この復号処理のみを行う。配信制御部１０６から配信の指示がある場合には、ビデオデコーダ部１０５は復号処理と同時に、受信バッファ２０１からの符号化ビデオデータに対して処理を行うことなく、そのまま送信バッファ２０２へ書込む処理を行う。
【００１９】
この様に、本実施例では、ビデオデコーダ部１０５で受信した符号化ビデオデータに対して処理を加えることなく送信バッファ２０２に複製する処理を行うようになっている。これにより、配信データを生成するビデオエンコーダ部を省くことができることになる。
【００２０】
更に、本実施例では、ビデオデコーダ部１０５の前段において、Ｈ．３２０／Ｈ．３２３切替制御部１０４を設け、符号化ビデオデータを、ビデオデコーダ部１０５へ入力する構成としているので、ビデオデコーダ部１０５は符号化ビデオデータがＨ．３２０によるものなのか、Ｈ．３２３によるものなのかを問わず、同じ処理を行うことができ、よってビデオデコーダ部１０５を共用化することが可能となる。
【００２１】
なお、上記実施例においては、ビデオデータの処理系について示しているが、同様に音声データの処理系についても適用可能であることは明らかである。
【００２２】
図３は本発明の他の実施例のブロック図であり、図１と同等部分は同一符号にて示している。本例においては、Ｈ．３２０受信データのみの配信を行うシステムの例であり、Ｈ．３２０通信のＨ．２２１フレームは受信Ｈ．２２１処理部１０３へ入力され符号化ビデオデータが抽出されてビデオデコーダ部１０５へ供給される。このビデオデコーダ部１０５は符号化ビデオデータの復号化を行い、また配信制御部１０６により配信が指示されている場合には、符号化ビデオデータをそのまま送信ＲＴＰ処理部１０７へ供給する。
【００２３】
この送信ＲＴＰ処理部１０７において、ＰＴＰパケット化されて送信ＵＤＰ処理部１０８へ入力され、ＵＤＰパケット化されてＩＰネットワーク上へストリーム配信されるのである。本例においても、Ｈ．３２０受信データを一度復号化して再度復号化するという処理を省略しているので、処理の簡素化及び構成の簡素化が図れる。
【００２４】
図４は本発明の更に他の実施例を示すブロック図であり、図１と同等部分は同一符号にて示している。本例においては、Ｈ．３２３受信データのみを配信するようにしたシステムの例であり、Ｈ．３２３通信のＵＤＰパケットは受信ＵＤＰ処理部１０１へ入力されてＲＴＰパケットとされ、受信ＲＴＰ処理部１０２において符号化ビデオデータとされる。
【００２５】
しかる後に、ビデオデコーダ部１０５へ入力され、復号化されてデジタルビデオデータとして出力される。
【００２６】
配信制御部１０６により配信が指示されている場合、ビデオデコーダ部１０５は、符号化ビデオデータをそのまま送信ＲＴＰ処理部１０７へ供給する。この送信ＲＴＰ処理部１０７において、ＲＴＰパケット化され送信ＵＤＰ処理部１０８へ入力され、ＵＰＤパケット化されてＩＰネットワーク上へストリーム配信されることになる。本例でも、Ｈ．３２３受信データを、一度復号化して再度符号化するという処理をなくしているので、処理の簡素化及び構成の簡素化が図れる。
【００２７】
図５は図１に示した実施例を一般化して示したシステム図である。図５を参照すると、Ｈ．３２３受信データ及びＨ．３２０受信データは、Ｈ．３２３受信処理部５０１及びＨ．３２０受信処理部５０２へそれぞれ入力され、符号化データのみが抽出されてＨ．３２０／Ｈ．３２３切替制御部５０３へ供給される。
【００２８】
このＨ．３２０／Ｈ．３２３切替制御部５０３においては、外部からの指示により、Ｈ．３２０かＨ．３２３かいずれかの受信データの符号化データを択一的に導出するものであり、択一的出力はデコーダ部５０４へ入力されて復号化されデジタルデータとして出力されることになる。配信制御部５０５により配信指示がある場合には、デコーダ部５０４は符号化データをそのまま出力（複製）し、配信データ処理部５０６へ供給する。
【００２９】
配信データ処理部５０６においては、配信すべきネットワークに適した通信データとなる様に、入力された符号化データに処理を施し、ストリーム配信データとして送信するようになっている。上記実施例においては、ＩＴＵ−Ｔ勧告のＨ．３２０／Ｈ．３２３受信データについて説明したが、これは単に一例を示すものであって、他の伝送規格に準拠したフォーマットにより、符号化されたデータを受信して配信するシステムに適用できることは明らかである。
【００３０】
【発明の効果】
以上述べた如く、本発明によれば次の様な効果が得られる。第１の効果は、配信データを生成するためのエンコーダ部を省略できることである。その理由は、デコーダ部で受信した符号化データをそのまま配信データとして送信処理しているためである。
【００３１】
第２の効果は、異種の規格に準拠したフォーマット受信データを一つの共通したデコーダ部を用いて配信できることである。その理由は、配信データの供給元となるデコーダ部の前段に、異種の受信データに対する切替え制御部を設けて、これ等異種の受信データに共通のデータフォーマットである符号化データに対して、その切替え制御を行っているためである。
【図面の簡単な説明】
【図１】本発明の一実施例のシステム図である。
【図２】図１のシステムの動作を説明するための図である。
【図３】本発明の他の実施例のシステム図である。
【図４】本発明の更に他の実施例のシステム図である。
【図５】本発明の原理を説明するためのシステム図である。
【図６】従来技術を示すシステム図である。
【符号の説明】
１０１　　　　　　受信ＵＤＰ処理部
１０２　　　　　　受信ＲＴＰ処理部
１０３　　　　　　受信Ｈ．２２１処理部
１０４，５０３　　Ｈ．３２０／Ｈ．３２３切替制御部
１０５　　　　　　ビデオデコーダ部
１０６，５０５　　配信制御部
１０７　　　　　　送信ＲＴＰ処理部
１０８　　　　　　送信ＵＤＰ処理部
２０１　　　　　　受信バッファ
２０２　　　　　　送信バッファ
５０１　　　　　　Ｈ．３２３受信処理部
５０２　　　　　　Ｈ．３２０受信処理部
５０４　　　　　　デコーダ部
５０６　　　　　　配信データ処理部
【図１】
2004040513.tif 000003
【図２】
2004040513.tif 000004
【図３】
2004040513.tif 000005
【図４】
2004040513.tif 000006
【図５】
2004040513.tif 000007
【図６】
2004040513.tif 000008